(57)【要約】【課題】    本発明の目的は、摘み易い箸を提供するものである。【解決手段】    箸Ｃは、 箸本体１と、この箸本体１を貫通して設けられた貫通孔１Ａとを備え、貫通孔１Ａは、箸本体１の箸頭部１Ｘより箸先部１Ｙに近い側に位置しているものである。【選択図】図１
2020185330.tif 000002
【特許請求の範囲】
【請求項１】
箸本体と、
この箸本体を貫通して設けられた貫通孔とを備え、
前記貫通孔は、前記箸本体の箸頭部より箸先部に近い側に位置している
ことを特徴とする箸。
【請求項２】
貫通部に係止する係止部を備え、
この係止部は、載置面に載置するスタンドに設けられ、
前記スタンドは、前記貫通部に係止する前記係止部を有し、
前記貫通部に前記係止部が係止した状態にあって、箸先部が前記載置面から離間している
ことを特徴とする請求項１記載の箸。
【請求項３】
箸本体を貫通して設けられた専用貫通孔と、
前記専用貫通部に係止する係止部を備え、
この係止部は、載置面に載置するスタンドに設けられ、
前記スタンドは、前記専用貫通部に係止する前記係止部を有し、
前記専用貫通部に前記係止部が係止した状態にあって、箸先部が前記載置面から離間している
ことを特徴とする請求項１記載の箸。
【請求項４】
箸本体と、
この箸本体を貫通して設けられた専用貫通孔と、
前記専用貫通部に係止する係止部を備え、
この係止部は、載置面に載置するスタンドに設けられ、
前記スタンドは、前記専用貫通部に係止する前記係止部を有し、
前記専用貫通部に前記係止部が係止した状態にあって、箸先部が前記載置面から離間している
ことを特徴とする箸。
【請求項５】
貫通部は、箸本体の長手方向に沿って設けられていると共に、前記長手方向に対して直交する方向に貫通している
ことを特徴とする請求項１又は、請求項２記載の箸。
【発明の詳細な説明】
【技術分野】
【０００１】
本発明は、箸に係り、特に、摘み易い箸に関する。
【背景技術】
【０００２】
従来、横断面形状を、楕円形乃至長円形とした箸がある（例えば、特許文献参照）。
【先行技術文献】
【特許文献】
【０００３】
【特許文献１】実用新案登録第3218934号公報
【発明の概要】
【発明が解決しようとする課題】
【０００４】
ところが、上記箸にあっては、食材を保持する部位が曲面であるため、高齢者等において、摘みにくいという問題点があった。
【０００５】
本発明は、上記問題点を除去するようにした箸を提供することを目的とする。
【課題を解決するための手段】
【０００６】
請求項１記載の箸は、 箸本体と、この箸本体を貫通して設けられた貫通孔とを備え、前記貫通孔は、前記箸本体の箸頭部より箸先部に近い側に位置しているものである。
【０００７】
また、請求項２記載の箸は、請求項１記載の箸において、貫通部に係止する係止部を備え、この係止部は、載置面に載置するスタンドに設けられ、前記スタンドは、前記貫通部に係止する前記係止部を有し、前記貫通部に前記係止部が係止した状態にあって、箸先部が前記載置面から離間しているものである。
【０００８】
また、請求項３記載の箸は、請求項１記載の箸において、箸本体を貫通して設けられた専用貫通孔と、前記専用貫通部に係止する係止部を備え、この係止部は、載置面に載置するスタンドに設けられ、前記スタンドは、前記専用貫通部に係止する前記係止部を有し、前記専用貫通部に前記係止部が係止した状態にあって、箸先部が前記載置面から離間しているものである。
【０００９】
また、請求項４記載の箸は、箸本体と、この箸本体を貫通して設けられた専用貫通孔と、前記専用貫通部に係止する係止部を備え、この係止部は、載置面に載置するスタンドに設けられ、前記スタンドは、前記専用貫通部に係止する前記係止部を有し、前記専用貫通部に前記係止部が係止した状態にあって、箸先部が前記載置面から離間しているものである。
【００１０】
また、請求項５記載の箸は、請求項１又は、請求項２記載の箸において、貫通部は、箸本体の長手方向に沿って設けられていると共に、前記長手方向に対して直交する方向に貫通しているものである。
【発明の効果】
【００１１】
請求項１記載の箸によれば、貫通孔は、箸本体の箸頭部より箸先部に近い側に位置しているため、貫通孔の凹により食材を掴み易く、しかも、例えば、ラーメンを食する際、ラーメンの汁を貫通孔の凹内に保持でき、麺と共に、汁をも食することができる。
【００１２】
また、請求項２記載の箸によれば、上述した請求項１記載の発明の効果に加え、貫通部に係止する係止部を備え、この係止部は、載置面に載置するスタンドに設けられ、前記スタンドは、前記貫通部に係止する前記係止部を有し、前記貫通部に前記係止部が係止した状態にあって、箸先部が前記載置面から離間しているため、箸本体に設けた貫通孔を利用して箸を衛生的に保管することができる。
【００１３】
また、請求項３記載の箸によれば、上述した請求項１記載の発明の効果に加え、箸本体を貫通して設けられた専用貫通孔と、前記専用貫通部に係止する係止部を備え、この係止部は、載置面に載置するスタンドに設けられ、前記スタンドは、前記専用貫通部に係止する前記係止部を有し、前記専用貫通部に前記係止部が係止した状態にあって、箸先部が前記載置面から離間しているため、箸本体に設けた貫通孔を利用して箸を衛生的に保管することができ、しかも、貫通孔内をより乾燥させることができる。
【００１４】
また、請求項４記載の箸によれば、箸本体と、この箸本体を貫通して設けられた専用貫通孔と、前記専用貫通部に係止する係止部を備え、この係止部は、載置面に載置するスタンドに設けられ、前記スタンドは、前記専用貫通部に係止する前記係止部を有し、前記専用貫通部に前記係止部が係止した状態にあって、箸先部が前記載置面から離間しているため、箸本体に設けた貫通孔を利用して箸を衛生的に保管することができる。
【００１５】
また、請求項５記載の箸によれば、上述した請求項１又は、請求項２記載の発明の効果に加え、貫通部は、箸本体の長手方向に沿って設けられているため、貫通部を細長く形成でき、例えば、ラーメンを食する際、ラーメンの汁を貫通孔の凹内に多く保持でき、多くの麺と共に、多くの汁をも食することができる。
【図面の簡単な説明】
【００１６】
【図１】図１は、本願発明の一実施例の箸（一対の箸）の概略的正面図である。
【図２】図２は、図１の概略的右側面図である。
【図３】図３は、図１の箸（一対の箸）の使用状態を示す概略的図である。
【図４】図４は、図１の箸（一対の箸）をスタンドに係止した状態を示す概略的図である。
【図５】図５は、図１の箸（一対の箸）を図４と異なる他の実施例のスタンドに係止した状態を撮影した写真である。
【図６】図６は、図５のスタンドに装飾体を係止する前の状態を撮影した写真である。
【図７】図７は、図６の一対の箸の内の一方のみの箸をスタンドから離脱すると共に、図６の装飾体をスタンドに係止した状態を撮影した写真である。
【発明を実施するための形態】
【００１７】
本発明の一実施例の箸を図面（図１乃至図４）を参照して説明する。
図１に示すＣは箸で、箸Ｃは、箸本体１と、この箸本体１を貫通して設けられた貫通孔１Ａとを備えている。
この貫通孔１Ａは、箸本体１の箸頭部１Ｘより箸先部１Ｙに近い側に位置している。
【００１８】
そのため、貫通孔１Ａの凹により食材（例えば、豆）２を掴み易く、しかも、例えば、図示しないラーメンを食する際、ラーメンの汁を貫通孔１Ａの凹内に保持でき、麺と共に、汁をも食することができる。
【００１９】
なお、貫通部１Ａは、箸本体１の長手方向に沿って設けられていると共に、前記長手方向に対して直交する方向に貫通しているため、貫通部１Ａを細長く形成でき、例えば、図示しないラーメンを食する際、ラーメンの汁を貫通孔１Ａ、１Ａの凹内に多く保持でき、多くの麺と共に、多くの汁をも食することができる。
【００２０】
また、図４に示すＳは載置面１００に載置するスタンドで、Ｓ１は貫通部に係止する係止部で、この係止部Ｓ１は、載置面１００に載置するスタンドＳに設けられ、図４に示すように、箸Ｃの貫通部１Ａに係止部Ｓ１が係止した状態にあって、箸先部１Ｙが載置面１００から離間している。
そのため、箸本体１に設けた貫通孔１Ａを利用して箸Ｃを衛生的に保管することができる。
【００２１】
なお、図４に示すＳ２は水平方向に張り出す係止部Ｓ１に接続された立設部で、Ｓ３は立設部Ｓ２に接続され、載置面１００に載置する載置部である。
また、１Ｂ、１Ｂは、箸本体１を貫通して設けられた専用貫通孔で、この専用貫通部１Ｂ、１Ｂは、係止部Ｓ１に係止する。また、この係止部Ｓ１は、上述したように、載置面１００に載置するスタンドＳに設けられる。つまり、スタンドＳは、専用貫通部１Ｂ、１Ｂに係止する係止部Ｓ１を有し、専用貫通部１Ｂ、１Ｂに係止部Ｓ１が係止した状態にあって、箸先部１Ｙが載置面１００から離間している（図５及び図６参照）。
そのため、箸本体１に設けた貫通孔１Ａ、１Ａを利用して箸Ｃを衛生的に保管することができ、しかも、貫通孔１Ａ、１Ａ内をより乾燥させることができる。
なお、図６及び図７に示すＭは装飾体（例えば、キャラクターグッズ）で、Ｋ１、Ｋ１は装飾体Ｍに設けた係止部（例えば、凸部）で、Ｋ２、Ｋ２はスタンドＳに設けた被係止部（例えば、凹部）で、係止部（例えば、凸部）Ｋ１、Ｋ１は、被係止部（例えば、凹部）Ｋ２、Ｋ２に係止される。
【００２２】
また、上述した実施例における箸Ｃの貫通部１Ａを場合により省略するようにしても良い。つまり、図５乃至図７における貫通部１Ａを省略して箸Ｃを構成しても良い。
かかる場合の箸Ｃは、箸本体１と、この箸本体１を貫通して設けられた専用貫通孔１Ｂ、１Ｂと、専用貫通部１Ｂ、１Ｂに係止する係止部Ｓ１を備え、この係止部Ｓ１は、載置面１００に載置するスタンドＳに設けられ、スタンドＳは、専用貫通部１Ｂ、１Ｂに係止する係止部Ｓ１を有し、専用貫通部１Ｂ、１Ｂに係止部Ｓ１が係止した状態にあって、箸先部１Ｙが載置面１００から離間している（例えば、図５記載の貫通部１Ａを省略した状態）。
なお、図５乃至図７記載のスタンドＳは、図４記載のスタンドＳと同様、係止部Ｓ１、立設部Ｓ２、載置部Ｓ３を備えている。
【符号の説明】
【００２３】
Ｃ        箸
１        箸本体
１Ａ      貫通孔
１Ｘ      箸頭部
１Ｙ      箸先部
【図１】
2020185330.tif 000003
【図２】
2020185330.tif 000004
【図３】
2020185330.tif 000005
【図４】
2020185330.tif 000006
【図５】
2020185330.tif 000007
【図６】
2020185330.tif 000008
【図７】
2020185330.tif 000009
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
箸本体と、
この箸本体を貫通して設けられた貫通孔と、
前記箸本体を貫通して設けられた専用貫通孔と、
前記専用貫通部に係止する係止部とを備え、
この係止部は、載置面に載置するスタンドに設けられ、
前記貫通孔は、前記箸本体の箸頭部より箸先部に近い側に位置し、
前記専用貫通孔は、前記箸本体の前記箸先部より前記箸頭部に近い側に位置し、
前記専用貫通部に前記係止部が係止した状態にあって、前記箸先部が前記載置面から離間している
ことを特徴とする箸を備えたスタンド。
【請求項２】
箸本体と、
この箸本体を貫通して設けられた貫通孔と、
この貫通部に係止する係止部とを備え、
前記貫通孔は、前記箸本体の箸頭部より箸先部に近い側に位置し、
前記係止部は、載置面に載置するスタンドに設けられ、
前記スタンドは、前記貫通部に係止する前記係止部を有し、
前記貫通部に前記係止部が係止した状態にあって、前記箸先部が前記載置面から離間している
ことを特徴とする箸を備えたスタンド。
【手続補正３】
【補正対象書類名】明細書
【補正対象項目名】０００１
【補正方法】変更
【補正の内容】
【０００１】
本発明は、箸を備えたスタンドに関する。
【手続補正４】
【補正対象書類名】明細書
【補正対象項目名】０００５
【補正方法】変更
【補正の内容】
【０００５】
本発明は、上記問題点を除去するようにした箸を備えたスタンドを提供することを目的とする。
【手続補正５】
【補正対象書類名】明細書
【補正対象項目名】０００６
【補正方法】変更
【補正の内容】
【０００６】
請求項１記載の箸を備えたスタンドは、箸本体と、この箸本体を貫通して設けられた貫通孔と、前記箸本体を貫通して設けられた専用貫通孔と、前記専用貫通部に係止する係止部とを備え、この係止部は、載置面に載置するスタンドに設けられ、前記貫通孔は、前記箸本体の箸頭部より箸先部に近い側に位置し、前記専用貫通孔は、前記箸本体の前記箸先部より前記箸頭部に近い側に位置し、前記専用貫通部に前記係止部が係止した状態にあって、前記箸先部が前記載置面から離間しているものである。
【手続補正６】
【補正対象書類名】明細書
【補正対象項目名】０００７
【補正方法】変更
【補正の内容】
【０００７】
また、請求項２記載の箸を備えたスタンドは、箸本体と、この箸本体を貫通して設けられた貫通孔と、この貫通部に係止する係止部とを備え、前記貫通孔は、前記箸本体の箸頭部より箸先部に近い側に位置し、前記係止部は、載置面に載置するスタンドに設けられ、前記スタンドは、前記貫通部に係止する前記係止部を有し、前記貫通部に前記係止部が係止した状態にあって、前記箸先部が前記載置面から離間しているものである。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
請求項１記載の箸を備えたスタンドによれば、箸本体を貫通して設けられた専用貫通孔と、前記専用貫通部に係止する係止部を備え、この係止部は、載置面に載置するスタンドに設けられ、前記スタンドは、前記専用貫通部に係止する前記係止部を有し、前記専用貫通部に前記係止部が係止した状態にあって、箸先部が前記載置面から離間しているため、箸本体に設けた貫通孔を利用して箸を衛生的に保管することができ、しかも、貫通孔内をより乾燥させることができる。
【手続補正１１】
【補正対象書類名】明細書
【補正対象項目名】００１２
【補正方法】変更
【補正の内容】
【００１２】
また、請求項２記載の箸を備えたスタンドは、貫通部に係止する係止部を備え、この係止部は、載置面に載置するスタンドに設けられ、前記スタンドは、前記貫通部に係止する前記係止部を有し、前記貫通部に前記係止部が係止した状態にあって、箸先部が前記載置面から離間しているものである。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】変更
【補正の内容】
【００１６】
【図１】図１は、本願発明の一実施例の箸を備えたスタンドの箸（一対の箸）の概略的正面図である。
【図２】図２は、図１の概略的右側面図である。
【図３】図３は、図１の箸（一対の箸）の使用状態を示す概略的図である。
【図４】図４は、図１の箸（一対の箸）をスタンドに係止した状態を示す概略的図である。
【図５】図５は、図１の箸（一対の箸）を図４と異なる他の実施例のスタンドに係止した状態を撮影した写真である。
【図６】図６は、図５のスタンドに装飾体を係止する前の状態を撮影した写真である。
【図７】図７は、図６の一対の箸の内の一方のみの箸をスタンドから離脱すると共に、図６の装飾体をスタンドに係止した状態を撮影した写真である。
【手続補正１６】
【補正対象書類名】明細書
【補正対象項目名】００１７
【補正方法】変更
【補正の内容】
【００１７】
本発明の一実施例の箸を備えたスタンドを図面（図１乃至図４）を参照して説明する。
図１に示すＣは箸で、箸Ｃは、箸本体１と、この箸本体１を貫通して設けられた貫通孔１Ａとを備えている。
この貫通孔１Ａは、箸本体１の箸頭部１Ｘより箸先部１Ｙに近い側に位置している。